(57)【特許請求の範囲】
【請求項１】
入力された指紋データとあらかじめ登録された指紋データとを照合し、この照合の度合いを示す照合率が最大となった指紋候補を抽出し、この指紋候補の上記照合率が所定値以上の場合に、この指紋候補の照合を一致と判定する装置において、
上記指紋候補の照合率が上記所定値に達しない場合でも、所定回数の照合時上記照合率が上記所定値よりも低い一定範囲内に連続して入れば、この指紋候補の照合を一致と判定する特別判定手段を備え、
上記特別判定手段は、上記照合率の値が大きくなるに従って、照合一致と判定する連続回数を少なくするものとしたことを特徴とする指紋照合装置。
【請求項２】
特別判定手段を、指紋候補の照合率が所定値に達しない場合でも、上記照合率が上記所定値よりも低い一定範囲内に入る指紋候補を複数抽出し、その照合率が上記一定範囲内に規定回数連続して入れば、この指紋候補の照合を一致と判定するように構成したことを特徴とする請求項１記載の指紋照合装置。
【発明の詳細な説明】
【０００１】
【発明の属する技術分野】
この発明は、入力された指紋データと登録された指紋データとを照合する装置に関するものである。
【０００２】
【従来の技術】
建物内の特定区域へは関係者以外の立入りを禁止するため、特定区域への通路又は出入口に電気錠によって開閉される扉を設け、この扉の近傍に特定区域への通行を許可された者か否かを指紋の検出によって判定する指紋照合装置を設置する場合があり、例えば特開昭６３−１１５２７５号に内容が開示されている。
これは、関係者の指の指紋を撮像して、その画像から指紋の特徴点を抽出して登録指紋データとして記憶しておく。そして、指紋照合時入力された指の指紋データと登録指紋データとを比較して、両者の一致又は不一致を判定するものである。
【０００３】
【発明が解決しようとする課題】
上記のような従来の指紋照合装置では、入力指紋データと複数の登録指紋データを照合しているため、通常の１対１照合（個人（ＩＤ）番号等で対象とする指を指定する方式）に比べて、照合のしきい値（ＯＫの判定基準）を高くする必要がある。このため、指紋の状態が悪い人の場合、本人の照合率が低くなり、照合ＮＧとなりやすいという問題点がある。
【０００４】
この発明は上記問題点を解消するためになされたもので、照合率が低い場合でも、照合ＮＧと判定する機会を減らし、利便性を向上できるようにした指紋照合装置を提供することを目的とする。
【０００５】
【課題を解決するための手段】
この発明の第１発明に係る指紋照合装置は、抽出された指紋候補の照合率が所定値に達しない場合でも、照合率が所定値よりも低い一定範囲内に連続して入れば、この指紋候補の照合を一致と判定し、照合率の値が大きくなるに従って、照合一致と判定する連続回数を少なくするものである。
【０００８】
また、第２発明に係る指紋照合装置は、第１発明のものにおいて、指紋候補の照合率が所定値に達しない場合でも、照合率が所定値よりも低い一定範囲内に入る指紋候補を複数抽出し、その照合率が一定範囲内に規定回数連続して入れば、この指紋候補の照合を一致と判定するようにしたものである。
【００１０】
【発明の実施の形態】
実施の形態１．
図１〜図３はこの発明の第１、第２及び第５発明の一実施の形態を示す図で、図１は機能構成図、図２は動作フローチャート、図３は指紋判定基準説明図である。
【００１１】
図１において、１は指紋画像を読み取る指紋読取り部、２はあらかじめ登録された指紋データを記憶する指紋データ記憶装置、３は指紋読取り部１で読み取られた指紋データから特徴点を抽出し、指紋データ記憶装置２に記憶された複数の登録指紋データと照合し、照合率が最大になるＩＤ（番号）及び照合率を算出する指紋照合手段、４は指紋照合手段３で算出された値に基づいてＯＫ（一致）かＮＧ（不一致）かを判定する指紋判定手段、５は判定結果を表示する結果表示手段である。
【００１２】
次に、この実施の形態の動作を図２及び図３を参照して説明する。
ステップＳ１で入力回数カウンタｎを零に初期設定する。ステップＳ２で指紋読取り部１により指紋データを読み込む。ステップＳ３で指紋照合手段３は上記指紋データと登録指紋データとを照合して、照合率が最大となる指紋ＩＤ（以下指紋候補ＩＤという）及びその照合率Ｓを算出する。ステップＳ４で指紋判定手段４は指紋候補ＩＤ及び照合率Ｓに基づいて、次のように判定処理をする。
【００１３】
▲１▼  照合率Ｓ≧しきい値ＴｈＨ（上限値）
▲２▼  照合率Ｓ＜しきい値ＴｈＬ（下限値）
▲３▼  しきい値ＴｈＬ≦照合率Ｓ＜しきい値ＴｈＨ
ステップＳ４で▲１▼と判定されると、ステップＳ５へ進み、照合結果ＯＫと判定し、結果表示手段５はこれを表示して処理を終了する。▲２▼と判定されると、ステップＳ６へ進み、照合結果ＮＧと判定し、同様に表示して処理を終了する。▲３▼と判定されると、ステップＳ７へ進む。
【００１４】
ステップＳ７では上記判定処理が１回目か、又は１回目でなければ前回と同じ指かを判定する。１回目の場合はステップＳ８へ進み、入力回数カウンタｎをｎ＋１（この場合は１）とし、ステップＳ９で入力回数カウンタｎが所定値Ｎ（例えば３）に達したかを判定する。この場合は所定値３に達していないため、ステップＳ２へ戻り、処理を繰り返す。
【００１５】
ステップＳ７で２回目以降でかつ前回と同じ指と判定すると、１回目の場合と同様にステップＳ８へ進み、処理を繰り返す。その結果、ステップＳ９で入力回数カウンタｎが所定値３に達したと判定すると、ステップＳ１０へ進んで、照合結果ＯＫと判定し、これを表示して処理を終了する。ステップＳ７で前回と異なる指と判定されると、ステップＳ１１へ進み、照合結果ＮＧと判定し、これを表示して処理を終了する。
【００１６】
上記の判定処理を図３に示し、照合率Ｓがしきい値ＴｈＬからＴｈＨの間にある場合は、同じ指紋候補ＩＤが３回連続したらＯＫにしている。ここで、ステップＳ７〜Ｓ１１は特別判定手段を構成している。
このようにして、照合率Ｓが上限値に達しない場合でも、一定範囲内に入っていれば不一致と判定せず、所定回数連続して一定範囲内に入れば一致と判定するようにしたため、指紋の状態が悪い人でも、照合精度を向上させることが可能となる。
【００１７】
実施の形態２．
図４はこの発明の第３発明の一実施の形態を示す指紋判定基準説明図である。なお、図１及び図２は実施の形態２にも共用する。
この実施の形態は、図２のステップＳ４の判定処理を、図４に示すように照合率Ｓの値により、下記のように連続回数を変えるようにしたもので、図２のステップＳ４を一部変更することにより実現できる。
【００１８】
図４では連続回数を次のように可変としている。
▲４▼  しきい値ＴｈＬ≦照合率Ｓ＜しきい値Ｔｈ１
▲５▼  しきい値Ｔｈ１≦照合率Ｓ＜しきい値ＴｈＨ
ステップＳ４で▲４▼と判定されると、同じ指紋候補ＩＤが３回連続したら照合結果ＯＫと判定し、▲５▼と判定されると、同様に２回連続したら照合結果ＯＫと判定する。
【００１９】
このようにして、照合率Ｓが上限値に達しない場合でも、照合率Ｓが所定回数連続して一定範囲内に入れば照合一致と判定し、かつ上記連続回数を照合率Ｓの値に対応して変更するようにしたため、指紋の状態が悪い人でも、照合精度を更に向上させることが可能となる。
【００２０】
実施の形態３．
図５及び図６はこの発明の第４発明の一実施の形態を示す図で、図５は動作フローチャート、図６は指紋判定基準説明図である。なお、図１は実施の形態３にも共用する。
この実施の形態は、照合率が図３のＴｈＬ〜ＴｈＨ間に入る指紋候補ＩＤを複数抽出し、この指紋候補ＩＤの照合率が図３又は図４に示すように規定回数連続して一定範囲に入れば照合ＯＫとするようにしたものである。
【００２１】
次に、この実施の形態の動作を図５を参照して説明する。なお、図２と同様の部分は簡略に説明する。
ステップＳ１で入力回数カウンタｎを零に初期設定し、ステップＳ２で指紋データを読み込む。ステップＳ１３で照合を実行し、照合率の大きい方から順次Ｍ個（ここでは３個）の指紋候補ＩＤを抽出する。ステップＳ１４で指紋判定手段４は、順位１の指紋候補ＩＤの照合率Ｓに基づいて、図１と同様▲１▼〜▲３▼を判定する。
【００２２】
ステップＳ１４で▲１▼と判定されると、ステップＳ５へ進み、照合結果ＯＫと判定し、これを表示して処理を終了する。▲２▼と判定されると、ステップＳ６へ進み、照合結果ＮＧと判定し、同様に表示して処理を終了する。▲３▼と判定されると、ステップＳ８へ進み、入力回数カウンタｎをｎ＋１（この場合は１）とし、ステップＳ９で入力回数カウンタｎが所定値Ｎ（ここでは３回）に達したかを判定する。この場合は所定値３に達していないため、ステップＳ２へ戻り、処理を繰り返す。
【００２３】
ステップＳ９で入力回数カウンタｎが所定値３に達したと判定すると、ステップＳ１５へ進み、照合率がＮ回連続して▲３▼と判定された指紋候補ＩＤがあるかを判定し、あると判定されるとステップＳ１６へ進み、照合結果ＯＫと判定し、これを表示して処理を終了し、ないと判定されるとステップＳ１７へ進み、照合結果ＮＧと判定し、これを表示して処理を終了する。
【００２４】
上記判定処理結果の一例を図６に示す。
図６では、照合率がＴｈＬ〜ＴｈＨに入る指紋候補ＩＤを照合率が大きい方から３個抽出するものとし、これを候補１〜候補３とする。１回目の照合では、候補１として指紋候補ＩＤ「Ａ」、候補２として指紋候補ＩＤ「Ｌ」、候補３として指紋候補ＩＤ「Ｎ」が抽出されている。同様に２回目の照合では、指紋候補ＩＤ「Ｂ」「Ａ」「Ｆ」が抽出され、３回目の照合では、指紋候補ＩＤ「Ｃ」「Ａ」「Ｇ」が抽出されている。
【００２５】
その結果、指紋候補ＩＤ「Ａ」は各回に抽出され、都合３回連続して抽出されたので、これを照合ＯＫと判定している。ここで、ステップＳ８，Ｓ９，Ｓ１５〜Ｓ１７は特別判定手段を構成している。
このようにして、照合率が上限値に達しない場合でも、照合率が一定範囲内に入る指紋候補ＩＤを複数個抽出し、これらの内照合率が一定範囲内に所定回数連続して入れば照合一致と判定するようにしたため、指紋の状態が悪い人でも、照合精度を更に向上させることが可能となる。
【００２６】
【発明の効果】
以上説明したとおりこの発明の第１発明では、抽出された指紋候補の照合率が所定値に達しない場合でも、照合率が所定値よりも低い一定範囲内に連続して入れば、この指紋候補の照合を一致と判定し、照合率の値が大きくなるに従って、照合一致と判定する連続回数を少なくするようにしたので、指紋の状態が悪い人でも、照合ＮＧと判定される機会を減らし、利便性を向上することができる。
【００２８】
また、第２発明では、指紋候補の照合率が所定値に達しない場合でも、照合率が所定値よりも低い一定範囲内に入る指紋候補を複数抽出し、照合率が一定範囲内に規定回数連続して入れば、この指紋候補の照合を一致と判定するようにしたので、指紋の状態が悪い人でも、照合ＮＧと判定される機会を減らし、更に利便性を向上することができる。
【図面の簡単な説明】
【図１】  この発明の実施の形態１を示す機能構成図。
【図２】  この発明の実施の形態１を示す動作フローチャート。
【図３】  この発明の実施の形態１を示す指紋判定基準説明図。
【図４】  この発明の実施の形態２を示す指紋判定基準説明図。
【図５】  この発明の実施の形態３を示す動作フローチャート。
【図６】  この発明の実施の形態３を示す指紋判定基準説明図。
【符号の説明】
１  指紋読取り部、２  指紋データ記憶装置、３  指紋照合手段、４  指紋判定手段、５  結果表示手段、Ｓ７〜Ｓ１１  特別判定手段、Ｓ８，Ｓ９，Ｓ１５〜Ｓ１７  特別判定手段。
【図１】
0004460094.tif 000002
【図２】
0004460094.tif 000003
【図３】
0004460094.tif 000004
【図４】
0004460094.tif 000005
【図５】
0004460094.tif 000006
【図６】
0004460094.tif 000007